(57)【要約】【課題】施工中に軒梁の耐火被覆を雨で濡らすことがないうえに、仮防水シートの設置と撤去の手間をかける必要がない施工性に優れた仮防水処理を施す施工方法を提供する。【解決手段】陸屋根１の軒梁４に耐火被覆を行う際に行われる仮防水処理を施す施工方法である。  そして、陸屋根の野地板２に敷設するルーフィング材３の下縁３ａを、軒梁の下面に隣接する位置まで配置された外壁本体部５の上縁５ａまで垂らす工程と、軒梁に耐火被覆を行う工程と、ルーフィング材の下縁を野地板上まで捲り上げて、外壁本体部に対して軒梁の側方を覆う外壁上端部を接続する工程と、ルーフィング材の垂下部３１をカットする工程とを備えている。【選択図】図１
2020133203.tif 000002
【特許請求の範囲】
【請求項１】
陸屋根の軒梁に耐火被覆を行う際に行われる仮防水処理を施す施工方法であって、
前記陸屋根の野地板に敷設する防水シートの下縁を、前記軒梁の下面に隣接する位置まで配置された外壁本体部の上縁まで垂らす工程と、
前記軒梁に耐火被覆を行う工程と、
前記防水シートの下縁を前記野地板上まで捲り上げて、前記外壁本体部に対して前記軒梁の側方を覆う外壁上端部を接続する工程と、
前記防水シートの垂下部をカットする工程とを備えたことを特徴とする仮防水処理を施す施工方法。
【請求項２】
前記軒梁に耐火被覆を行う工程は、前記防水シートの下縁を前記野地板上まで捲り上げた状態で行われることを特徴とする請求項１に記載の仮防水処理を施す施工方法。
【請求項３】
前記防水シートの下縁を前記外壁本体部の上縁に仮固定した状態で、前記軒梁に隣接する箇所の内装工事を行うことを特徴とする請求項１又は２に記載の仮防水処理を施す施工方法。
【請求項４】
前記外壁本体部に前記外壁上端部を接続したのちに、再び前記防水シートを垂下させて前記外壁本体部又は前記外壁上端部に仮固定することを特徴とする請求項１乃至３のいずれか１項に記載の仮防水処理を施す施工方法。
【請求項５】
前記垂下部をカットしたのちに、前記防水シートの上に敷設された屋根ふき材の縁部と前記外壁上端部との間を塞ぐために軒梁まわりの防水部材を取り付ける工程を備えたことを特徴とする請求項１乃至４のいずれか１項に記載の仮防水処理を施す施工方法。
【発明の詳細な説明】
【技術分野】
【０００１】
本発明は、陸屋根の軒梁に耐火被覆を行う際に行われる仮防水処理を施す施工方法に関するものである。
【背景技術】
【０００２】
陸屋根が設けられる鉄骨造の建築物においては、形鋼によって形成される軒梁に対して耐火被覆を行う必要がある。耐火被覆に使用されるロックウールやケイ酸カルシウム板などの耐火被覆材は、雨に濡れると吸水してしまい、乾くのに時間がかかる。
【０００３】
そして、耐火被覆材が乾かないまま内壁ボードや天井ボードや外壁を施工して、軒梁を閉じ込めてしまうと、壁内結露やカビなどの原因となるため、耐火被覆には施工中に雨がかからないように仮防水処理を施す必要がある。
【０００４】
特許文献１には、陸屋根の床スラブを施工するに際して、床面から周縁のパラペットに至るまでの屋根全面に仮防水シートをプール状に敷設することで、本防水シートなどによって防水処理が施されるまでの間に、建物内部が水濡れするのを防ぐようにした施工方法が開示されている。
【先行技術文献】
【特許文献】
【０００５】
【特許文献１】特開２０１６−１７２７８号公報
【発明の概要】
【発明が解決しようとする課題】
【０００６】
しかしながら、仮防水シートを敷設する施工方法では、本防水シートに加えて仮防水シートの材料費がかかる上に、仮防水シートの設置と撤去に施工費と施工時間がかかることから、工費及び工期が増加することが懸念される。
【０００７】
そこで、本発明は、施工中に軒梁の耐火被覆を雨で濡らすことがないうえに、仮防水シートの設置と撤去の手間をかける必要がない施工性に優れた仮防水処理を施す施工方法を提供することを目的としている。
【課題を解決するための手段】
【０００８】
前記目的を達成するために、本発明の仮防水処理を施す施工方法は、陸屋根の軒梁に耐火被覆を行う際に行われる仮防水処理を施す施工方法であって、前記陸屋根の野地板に敷設する防水シートの下縁を、前記軒梁の下面に隣接する位置まで配置された外壁本体部の上縁まで垂らす工程と、前記軒梁に耐火被覆を行う工程と、前記防水シートの下縁を前記野地板上まで捲り上げて、前記外壁本体部に対して前記軒梁の側方を覆う外壁上端部を接続する工程と、前記防水シートの垂下部をカットする工程とを備えたことを特徴とする。
【０００９】
ここで、前記軒梁に耐火被覆を行う工程は、前記防水シートの下縁を前記野地板上まで捲り上げた状態で行うことができる。また、前記防水シートの下縁を前記外壁本体部の上縁に仮固定した状態で、前記軒梁に隣接する箇所の内装工事を行うことができる。
【００１０】
さらに、前記外壁本体部に前記外壁上端部を接続したのちに、再び前記防水シートを垂下させて前記外壁本体部又は前記外壁上端部に仮固定することができる。そして、前記垂下部をカットしたのちに、前記防水シートの上に敷設された屋根ふき材の縁部と前記外壁上端部との間を塞ぐために軒梁まわりの防水部材を取り付ける工程を備えた構成とすることができる。
【発明の効果】
【００１１】
このように構成された本発明の仮防水処理を施す施工方法は、陸屋根の野地板に敷設する防水シートの下縁を、軒梁に隣接する外壁本体部の上縁まで垂らすことができる状態にしてから、軒梁に耐火被覆を行う。そして、外壁本体部に対して軒梁の側方を覆う外壁上端部を接続した後に、防水シートの垂下部をカットする。
【００１２】
このため、施工中は防水シートの垂下部によって軒梁周辺を覆うことができるようになるので、耐火被覆を雨で濡らすことがない。さらに、防水シートの垂下部は最終段階でカットするだけなので、敷設したものを撤去する手間がなく、仮防水シートも使用しないため、材料費を抑えて少ない手間で施工することができる。
【００１３】
また、軒梁に耐火被覆を行う工程の際など、防水シートの垂下部が作業の支障になる場合は、野地板上まで捲り上げておくだけで、簡単に施工できるようになる。さらに、防水シートの垂下部で覆われた仮防水処理された軒梁周辺において、内壁ボードや天井ボードの設置などの内装工事を、降雨時や屋外作業があるときにも実施することができる。
【００１４】
また、外壁本体部に外壁上端部を接続したのちにおいても、再び防水シートを垂下させることで、軒梁周辺が仮防水処理された状態を維持することができる。この状態は、垂下部をカットして、屋根ふき材の縁部と外壁上端部との間を塞ぐための防水部材を取り付ける直前まで、保持しておくことができる。
【図面の簡単な説明】
【００１５】
【図１】本実施の形態の仮防水処理を施す施工方法において、ルーフィング材の垂下部を外壁本体部の上縁に仮固定した状態を説明する断面図である。
【図２】ルーフィング材の垂下部を捲り上げて軒梁を耐火被覆する工程を説明する断面図である。
【図３】仮防水処理が施された軒梁周辺で内装工事を行う工程を説明する断面図である。
【図４】外壁本体部に外壁上端部を接続する工程を説明する断面図である。
【図５】外壁上端部ごとルーフィング材の垂下部で覆う工程を説明する断面図である。
【図６】ルーフィング材の垂下部をカットする工程を説明する断面図である。
【図７】水切り材を取り付ける工程を説明する断面図である。
【図８】パラペットを取り付ける工程を説明する断面図である。
【発明を実施するための形態】
【００１６】
以下、本発明の実施の形態について図面を参照して説明する。図１−図８は、本実施の形態の仮防水処理を施す施工方法の各工程を説明するための図である。この施工方法が適用される建物は、Ｈ形鋼や溝形鋼などの形鋼によって骨組み構造体が形成される鉄骨建築物である。
【００１７】
また、この建物の屋根は、ほぼ平面となる陸屋根１となる。陸屋根１は、図１に示すように、軒梁４の上に構築される。本実施の形態では、Ｈ形鋼によって形成された軒梁４を例に説明する。
【００１８】
軒梁４の上には、たる木２１の端部２１ａを支持させる。たる木２１の上には、野地板２が貼り付けられる。また、たる木２１の端部２１ａには、外壁の上端を固定するための外壁受材５２が取り付けられる。
【００１９】
図１の状態は、軒梁４を耐火被覆する前の状態である。鋼材によって形成された軒梁４は、図２に示すように、その周囲をロックウールやケイ酸カルシウム板などの耐火被覆材４１によって覆う必要がある。
【００２０】
一方、野地板２の上面には、防水シートであるルーフィング材３を敷設する。ルーフィング材３は、図１に示すように、溝形レール状の吊子材２４とビス２３とによって野地板２に押さえ付けられる。
【００２１】
また、ルーフィング材３の上には、屋根ふき材２２Ａが敷設される。この屋根ふき材２２Ａは、例えば防水性能及び耐食性能に優れた溶融アルミニウムめっき鋼板などによって形成される。屋根ふき材２２Ａの側縁は、吊子材２４の側壁に係合されることによって固定される。
【００２２】
次に、図１−図８を順に参照しながら、本実施の形態の仮防水処理を施す施工方法について説明する。
まず、軒梁４を設置する。
【００２３】
続いて、たる木２１が下面に取り付けられた野地板２を、軒梁４との間に耐火被覆が設置できる隙間を空けて取り付ける。野地板２の上面には、ルーフィング材３を敷設し、さらにその上には、屋根仕上げ材となる屋根ふき材２２Ａを敷設する。なお、この段階では、野地板２の軒縁２ａ近傍の屋根ふき材２２Ｂは、配置されていない。
【００２４】
このようにルーフィング材３は、野地板２と屋根ふき材２２Ａとの間に配置され、屋根ふき材２２Ａの縁部が係合された吊子材２４にビス２３又は釘を打ち込むことで、屋根ふき材２２Ａと野地板２との間に挟み込まれた状態で固定される。
【００２５】
このルーフィング材３は、野地板２の軒縁２ａから下方に向けて垂らされ、軒梁４の下面より下方の高さに下縁３ａが配置される長さに形成される。この軒縁２ａから垂らされたルーフィング材３の下縁３ａまでの部分を、垂下部３１とする。
【００２６】
この下縁３ａと重なる位置には、外壁本体部５となる外壁板が配置される。外壁板には、防水性素材が使用される。例えば、硬質木片セメント板に防水塗装をした外壁板が使用できる。
【００２７】
この建物の外壁は、この外壁本体部５と、後述する外壁上端部５１とに分割されて、別の工程で配置される。外壁本体部５は、上縁５ａがルーフィング材３の下縁３ａと重なるとともに、軒梁４との間に耐火被覆が設置できる隙間を空けた位置に配置される。
【００２８】
この外壁本体部５は、複数のパネルによって構成されることになるが、１枚のパネルの重さが２０ｋｇ以下となるように分割されていれば、クレーンなどを使うことなく、人力で持ち運んで取り付けることができるようになる。
【００２９】
そして、軒梁４の外側を覆うように垂らしたルーフィング材３の垂下部３１の下縁３ａを、外壁本体部５の上縁５ａの外側面側に防水テープ３２で貼り付ける。この防水テープ３２による仮固定によって仮防水処理が完了し、降雨があっても軒梁４が濡れることを防ぐことができる。
【００３０】
続いて図２は、軒梁４を耐火被覆する工程を説明する図である。軒梁４に耐火被覆材４１を取り付ける作業は、雨が降らない日に行われる。まず、軒梁４を覆っているルーフィング材３の垂下部３１を、軒梁４の長さ方向に一工程で耐火被覆を施工できる長さ（例えば５ｍ程度）分だけ捲り上げる。
【００３１】
野地板２上に捲り上げたルーフィング材３の端部（下縁３ａ）は、屋根ふき材２２Ａの上に防水テープ３２で固定する。なお、防水テープ３２は、外壁本体部５の上縁５ａとの仮固定に使用したものをそのまま利用することもできるし、貼り直す場合は汎用のテープを使用してもよい。
【００３２】
そして、露出した軒梁４の外周を覆うように、耐火被覆材４１を取り付ける。耐火被覆が行われた軒梁４の施工範囲は、再び外側を覆うようにルーフィング材３の垂下部３１が垂らされ、外壁本体部５に仮固定されて仮防水処理状態が形成される。
【００３３】
続いて、図３に示すような仮防水処理状態の軒梁４の周辺では、内装工事が行われる。この内装工事は、仮防水処理が完了した内側で行われるため、降雨があっても軒梁４の耐火被覆材４１が濡れることはない。
【００３４】
内装工事では、屋内の内壁ボード８１や天井ボード８２の貼り付け作業などが行われる。また、この内装工事と並行して、屋外側でも後述する外壁上端部５１の取り付け作業や屋根の防水仕上げ作業などを行うことができる。このように、屋内側と屋外側とで並行作業が行えるようになれば、全体の工期を短くすることができる。
【００３５】
図４は、外壁本体部５に外壁上端部５１を接続する工程を説明する図である。
外壁上端部５１を設置する際には、耐火被覆材４１が囲繞された軒梁４を覆っているルーフィング材３の垂下部３１を、再びこの工程で外壁上端部５１を設置する長さ（例えば軒梁４の長さ方向に５ｍ程度）分だけ捲り上げ、端部（下縁３ａ）を屋根ふき材２２Ａの上に防水テープ３２で固定する。
【００３６】
続いて、露出した軒梁４の耐火被覆材４１の外側に、外壁上端部５１を取り付ける。外壁上端部５１は、外壁本体部５の上縁５ａに連続するように配置され、これらの間の目地にはシーリング材５３が充填される。
【００３７】
一方、外壁上端部５１の上端は、外壁受材５２の下端に固定される。これらの作業の終了後、屋根ふき材２２Ａに仮固定していたルーフィング材３を、再び外壁（外壁上端部５１及び外壁本体部５の上縁５ａ）の外側を覆うように垂らし、その下縁３ａを外壁本体部５の上縁５ａに防水テープ３２で貼り付ける（図５参照）。
【００３８】
この仮防水処理の作業は、次の屋根の防水仕上げ作業の工程に速やかに移行する場合は、省略することができる。要するに、屋根の防水仕上げ作業を行うまでは、いつでも仮防水処理状態にできるようにしておくことで、施工途中で雨が降った場合でも、速やかにルーフィング材３の垂下部３１を垂らして仮固定することで、軒梁４の耐火被覆材４１を濡らさないようにすることができる。
【００３９】
そして、屋根の防水仕上げ作業を行うためには、図５に示したような外壁上端部５１や外壁受材５２などの外側を覆っている垂下部３１を、図６に示すようにカット（切断）する。
【００４０】
カットしたルーフィング材３の縁部は、野地板２の軒縁２ａにテープ３３で固定する。例えば、野地板２の木口を覆う所までの長さでルーフィング材３をカットして、野地板２の裏面にテープ３３で貼り付ける。
【００４１】
屋根の防水仕上げ作業では、図７に示すように、軒縁２ａ周辺のルーフィング材３の上に、屋根ふき材２２Ｂを敷設して固定する。屋根ふき材２２Ｂの固定は、縁部を吊子材２４に係合させることで行う。
【００４２】
また、外壁上端部５１の上端面は、軒梁まわりの防水部材である水切り材６で覆う。この水切り材６の下面と外壁上端部５１の上端面との間の隙間には、シーリング材５３を充填する。水切り材６には、上方の野地板２に向けて立ち上がる上壁部６１が形成されている。この上壁部６１と野地板２の下面との間には、隙間が形成される。
【００４３】
この上壁部６１と野地板２との間の隙間を覆うように、図８に示すようなパラペット７を取り付ける。このパラペット７は、軒梁まわりの防水部材であり、屋根ふき材２２Ｂの縁部に形成された立上り部２２１と水切り材６とを掛け渡すように配置される。この結果、屋根ふき材２２Ｂの縁部（２２１）と外壁上端部５１との間の隙間が、パラペット７及び水切り材６という軒梁まわりの防水部材で塞がれたことになる。
【００４４】
また、屋根ふき材２２Ａ，２２Ｂの縁部を係合させた吊子材２４には、瓦棒状キャップであるカバー材２５を被せる。このカバー材２５を取り付けることによって、ビス２３のねじ込み箇所が覆われて防水仕様となる。
【００４５】
次に、本実施の形態の仮防水処理を施す施工方法の作用について説明する。
このように構成された本実施の形態の仮防水処理を施す施工方法は、陸屋根１の野地板２に敷設するルーフィング材３の下縁３ａを、軒梁４に隣接する外壁本体部５の上縁５ａまで垂らすことができる状態にしてから、軒梁４に耐火被覆材４１を取り付ける。
【００４６】
そして、外壁本体部５に対して軒梁４の側方を覆う外壁上端部５１を接続した後に、ルーフィング材３の垂下部３１をカットする。すなわち、施工中はルーフィング材３の垂下部３１によって軒梁４の周辺を覆うことができるようになるので、耐火被覆材４１を雨で濡らすことがない。
【００４７】
さらに、ルーフィング材３の垂下部３１は、工程の最終段階でカットして除去するだけなので、仮防水シートを敷設したときのように野地板上から剥がして撤去する手間がない。また、ルーフィング材３は、垂下部３１以外は本防水シートとして利用するため、仮防水シートを別途、用意する必要がなく、材料費を抑えて少ない手間で施工することができる。
【００４８】
また、軒梁４に耐火被覆を行う工程の際など、ルーフィング材３の垂下部３１が作業の支障になる場合は、野地板２の上に捲り上げておくだけで、簡単に施工ができるようになる。
【００４９】
さらに、ルーフィング材３の垂下部３１で覆われた仮防水処理された軒梁４の周辺においては、内壁ボード８１や天井ボード８２の設置などの内装工事を、降雨時や屋外作業があるときにも並行して実施することができる。
【００５０】
また、外壁本体部５に外壁上端部５１を接続したのちにおいても、再びルーフィング材３の垂下部３１を垂下させることで、軒梁４の周辺が仮防水処理された状態を維持することができる。
【００５１】
この仮防水処理された状態は、垂下部３１をカットして、屋根ふき材２２Ｂの立上り部２２１と外壁上端部５１との間を塞ぐための防水部材（水切り材６、パラペット７）を取り付ける防水仕上げ作業を行う直前まで、保持しておくことができる。
【００５２】
以上、図面を参照して、本発明の実施の形態を詳述してきたが、具体的な構成は、この実施の形態に限らず、本発明の要旨を逸脱しない程度の設計的変更は、本発明に含まれる。
【００５３】
例えば、前記実施の形態では、軒梁４としてＨ形鋼を使用する場合を例に説明したが、これに限定されるものではなく、溝形鋼やＩ形鋼が軒梁になる場合にも、本発明を適用することができる。
【符号の説明】
【００５４】
１      ：陸屋根
２      ：野地板
２２Ａ，２２Ｂ：屋根ふき材
２２１  ：立上り部（縁部）
３      ：ルーフィング材（防水シート）
３ａ    ：下縁
３１    ：垂下部
３２    ：防水テープ（仮固定）
４      ：軒梁
４１    ：耐火被覆材
５      ：外壁本体部
５ａ    ：上縁
５１    ：外壁上端部
６      ：水切り材（防水部材）
７      ：パラペット（防水部材）
８１    ：内壁ボード（内装工事）
８２    ：天井ボード（内装工事）
【図１】
2020133203.tif 000003
【図２】
2020133203.tif 000004
【図３】
2020133203.tif 000005
【図４】
2020133203.tif 000006
【図５】
2020133203.tif 000007
【図６】
2020133203.tif 000008
【図７】
2020133203.tif 000009
【図８】
2020133203.tif 000010